(57)【要約】【課題】  スローアウェイチップの輸送時や取扱い時の刃部の欠損、収納ケースの損傷および雑音の発生等を防止する。【解決手段】  スローアウェイ工具２が収納される収納部３を有するスローアウェイ工具用収納ケース１であって、緻密プラスチックからなるケース基体４の中に、プラスチックからなりスローアウェイ工具２の下面に載置される下敷き６と、発泡プラスチックまたは発泡ゴムからなりスローアウェイ工具２の収納部３が型抜きされてスローアウェイ工具２の外周面を覆うように載置される枠部７と、が接着にて一体化された緩衝部材７を収納したスローアウェイ工具用収納ケース１である。【選択図】  図１
2006036301.tif 000002
【特許請求の範囲】
【請求項１】
スローアウェイ工具が収納されるケースであって、硬質プラスチックからなるケース基体の中に、プラスチック薄板からなり前記スローアウェイ工具を収納する収納凹部を具備する緩衝部材をはめ込んでなるスローアウェイ工具用収納ケース。
【請求項２】
前記ケース基体の中が複数の前記スローアウェイ工具を個別に隔離して収納するための中枠にて仕切られているとともに、前記緩衝部材の隣接する前記収納凹部間の隔壁部に前記中枠が位置するようにはめ込んでなる請求項１記載のスローアウェイ工具用収納ケース。
【請求項３】
前記ケース基体と前記緩衝部材とを接着してなる請求項１または２記載のスローアウェイ工具用収納ケース。
【請求項４】
前記ケース基体の中枠と前記緩衝部材の隔壁部との少なくとも一部を接着してなる請求項３記載のスローアウェイ工具用収納ケース。
【請求項５】
前記プラスチック薄板の厚みが２０〜３００μｍである請求項１乃至４のいずれか記載のスローアウェイ工具用収納ケース。
【請求項６】
前記収納凹部は平面視で多角形状をなすとともに隅部にＲ面を有する形状である請求項１乃至５のいずれか記載のスローアウェイ工具用収納ケース。
【請求項７】
前記収納凹部と前記ケース基体の底面との間に隙間が存在するように前記収納凹部が上げ底になっている請求項１乃至６のいずれか記載のスローアウェイ工具用収納ケース。
【請求項８】
前記緩衝部材の隔壁部の一部に切欠きが存在する請求項１乃至７のいずれか記載のスローアウェイ工具用収納ケース。
【請求項９】
前記ケース基体が、ケース本体とスライド式の蓋とを組み合わせた箱体からなるとともに、該箱体の底面に前記スローアウェイ工具用収納ケース同士を積層する時に係止めとなる突起を備えている請求項１乃至８のいずれか記載のスローアウェイ工具用収納ケース。
【発明の詳細な説明】
【技術分野】
【０００１】
本発明は、スローアウェイ工具を収納するスローアウェイ工具用収納ケースに関するものである。
【背景技術】
【０００２】
スローアウェイ工具（以下、工具と称する。）を工具ホルダに取り付けて切削加工するスローアウェイ式工具が汎用されている。かかるスローアウェイ式工具においては、工具の切刃が寿命に達した時点で新しい工具に交換されるため、一般的に工具は複数個単位で販売されている。
【０００３】
従来この種の収納ケースとしては、例えば、特許文献１、２のように格子状の中枠で仕切られた１０個の略四角形状の収納部を有する箱型のプラスチック収納ケースが一般的であり（図５参照）、この略四角形状の収納部に工具が１個ずつ収納されていた。
【特許文献１】登録実用新案３００５１０８号公報
【特許文献２】特開平９−１３２２４０号公報
【発明の開示】
【発明が解決しようとする課題】
【０００４】
しかしながら、上記のようなプラスチックケースの略四角形状の収納部に工具を収納する方法では、前記収納部の大きさに比べてそこへ収納される工具の大きさが小さいために、工具を収納したケースを取り扱う際や運搬の際に工具が収納部内で動いてしまい、収納ケースの中枠や内壁に衝突していた。このために、工具の切刃にチッピングや欠損が生じたり、切刃にプラスチック等の異物が付着する恐れがあった。また、場合によっては、工具の切刃がプラスチックからなる収納ケースの壁面を傷つけてしまうこともあった。さらに、工具がプラスチックケースに衝突することによって生じる衝突音が雑音として不具合となる場合もあった。
【０００５】
本発明は上記課題を解消するものであり、その目的は、スローアウェイ工具の切刃を確実に保護できるとともに、雑音の生じないスローアウェイ工具用収納ケースを提供することにある。
【課題を解決するための手段】
【０００６】
本発明者は、以下の構成からなるスローアウェイ工具用収納ケースとすることにより、上記課題を解消できることを発明した。
【０００７】
すなわち、本発明のスローアウェイ工具用収納ケースは、スローアウェイ工具が収納されるスローアウェイ工具用収納ケースであって、硬質プラスチックからなるケース基体の中に、プラスチック薄板からなり前記スローアウェイ工具を収納する収納凹部を具備する緩衝部材をはめ込んでなることを特徴とするものである。
【０００８】
ここで、前記ケース基体の中が複数の前記スローアウェイ工具を隔離して収納するための中枠にて仕切られているとともに、前記緩衝部材の隣接する前記収納凹部間の隔壁部に前記中枠が位置するようにはめ込んでなることが、中枠が補強材として機能して緩衝部材の保形性がよく、安定した収納が可能である点で望ましい。さらに、中枠はケース基体の保形性を保つ補強材としても機能する。
【０００９】
また、前記ケース基体と前記緩衝部材とを接着してなることが、緩衝部材がケース基体から浮き上がったり、外れたりすることなく、スローアウェイ工具が安定して収納できるとともに収納ケースを長期にわたって安定して使用可能な点で望ましい。
【００１０】
さらに、前記ケース基体の中枠と前記緩衝部材の隔壁部との少なくとも一部を接着してなることが、緩衝部材がケース基体から浮き上がることを効率よく防止できるとともに製造上容易である点で望ましい。
【００１１】
さらには、前記プラスチック薄板の厚みが２０〜３００μｍであることが、緩衝部材の保形性がよく、かつ、たわむことができてスローアウェイ工具の衝撃をより効率よく吸収できる点で望ましい。
【００１２】
また、前記収納凹部を平面視したとき多角形状をなして角部にＲを有する形状であることが、収納凹部が変形することなく保形でき、かつ角部で緩衝部材が破れたりすることなく長期間にわたって安定して使用可能な点で望ましい。
【００１３】
さらに、前記収納凹部と前記ケース基体の底面との間に隙間が存在するように前記収納凹部が上げ底になっていることが、スローアウェイ工具の衝撃をより効率よく吸収できるとともに厚みの薄いスローアウェイ工具を収納して取り出す際に容易に取出しができる点で望ましい。
【００１４】
また、前記緩衝部材の隔壁部の一部に切欠きが存在することが、緩衝部材の反り等の変形を抑制して収納凹部をケース基体に確実に沿わせることができてスローアウェイ工具を確実に収納できる点で望ましい。
【００１５】
さらに、前記ケース基体が、ケース本体とスライド式の蓋とを組み合わせた箱体からなるとともに、該箱体の底面に前記スローアウェイ工具用収納ケース同士を積層する時に係止めとなる突起を備えているタイプに対しても好適に適応可能である。
【発明の効果】
【００１６】
上記本発明のスローアウェイ工具用収納ケースによれば、ケース基体の収納部に緩衝部材をはめ込んでスローアウェイ工具を収納凹部に収納することにより、スローアウェイ工具を収納したケースの取り扱いや運搬の際にスローアウェイ工具が収納部内で動き回り、収納ケースに衝突してスローアウェイ工具の切刃にチッピングや欠損が生じたり、切刃にプラスチック等の異物が付着する恐れがなく、スローアウェイ工具を確実に保護できるとともに、スローアウェイ工具が収納ケース内で内壁に衝突する際に生じる雑音の発生も抑制できる。
【００１７】
また、従来のケース基体をそのまま流用することができるとともに、緩衝部材の収納凹部の形状をスローアウェイ工具の形状に合わせて変えることができることから多数のスローアウェイ工具に適応可能であり経済的である。
【発明を実施するための最良の形態】
【００１８】
本発明のスローアウェイ工具用収納ケースについて、その好適例である図１乃至４に基づいて説明する。図１（ａ）はスローアウェイ工具用収納ケース（以下、単に収納ケースと略す。）の一例を示す概略分解平面図、図１（ｂ）は図１（ａ）のＡ−Ａ断面図、図２は図１の収納ケースにスローアウェイ工具を収納した状態を示す概略平面図、図３は図２のＢ−Ｂ断面図、図４は本発明のスローアウェイ工具用収納ケースの他の実施態様を示す概略断面図である。
【００１９】
図１のスローアウェイ工具用収納ケース（以下、単に収納ケースと略す。）１は、スローアウェイ工具（以下、単に工具と略す。）２が収納される収納部３を有し、硬質プラスチックからなるケース基体４の中に、プラスチック薄板からなりスローアウェイ工具２を収納する収納凹部５を具備する緩衝部材７がはめ込まれている。
【００２０】
この構成によって、収納ケース１に工具２を収納した状態である図２に示すように、工具３とケース基体４との衝突による切刃の欠損や異物の付着、また衝突の際に生じる雑音の発生を防止することができる。また、従来と同じサイズのケース基体４を流用することができるとともに、緩衝部材７の収納凹部５を所望の形状に変えることができて多種類の工具２に適応可能であることから経済的である。
【００２１】
ここで、ケース基体４、および緩衝部材７をなすプラスチック薄板の材質は、ポリプロピレン（ＰＰ）、ポリエチレンテレフタレート（ＰＥＴ）等が収納ケースの強度、軽さ、保形性、コスト、リサイクル性に優れている点を考慮しても好適に使用可能である。または、緩衝部材７としては、強度を維持できる厚みが確保できれば、衝撃吸収力、軽さ、保形性、コストの点でウレタンフォーム、発泡ポリスチレン、発泡スチロール等の発泡プラスチックまたは発泡ゴムであってもよい。なお、図１，２によれば、ケース基体４、および緩衝部材７はともにポリプロピレン（ＰＰ）からなり、表示マーク６が表示されている。
【００２２】
また、ケース基体４の中が複数の工具２を隔離して収納するための中枠８にて仕切られているとともに、緩衝部材７の隣接する収納凹部５，５間の隔壁部９に中枠８が位置するようにはめ込んでなることが、緩衝部材７およびケース基体４の保形性がよく安定した収納が可能である点で望ましい。
【００２３】
なお、ケース基体４と緩衝部材７とを接着してなることが、緩衝部材７がケース基体４から浮き上がったり、外れたりすることなく、工具４が安定して収納できるとともに収納ケース１を長期にわたって使用可能な点で望ましい。
【００２４】
さらに、ケース基体４の中枠８と緩衝部材７の隔壁部８との少なくとも一部を接着してなることが、緩衝部材７がケース基体４から浮き上がることを効率よく防止できるとともに製造上容易である点で望ましい。
【００２５】
さらには、前記プラスチック薄板の厚みが２０〜３００μｍであることが、緩衝部材７の保形性がよく、かつたわむことができて工具２の衝撃をより効率よく吸収できる点で望ましい。前記プラスチック薄板の厚みの特に望ましい範囲は、１００〜２００μｍである。
【００２６】
また、収納凹部５を平面視したとき多角形状をなす場合には、隅部１０にＲ面を有する形状であることが、収納凹部５が変形することなく、かつ隅部１０で緩衝部材７が破れたりすることなく長期間にわたって安定して使用可能な点で望ましい。なお、収納凹部５は、平面視、円、楕円であってもよく、または複雑な形状の工具を収納する際には工具の形状に合わせた複雑な形状であってもよい。
【００２７】
さらに、収納凹部７とケース基体４の底面との間に隙間が存在するように収納凹部７が上げ底になっていることが、工具２の衝撃をより効率よく吸収できるとともに厚みの薄い工具２を収納して取り出す際に容易に取出しができる点で望ましい。
【００２８】
また、緩衝部材７の隔壁部９の一部に切欠き１１が存在することが、緩衝部材７の収納凹部５をケース基体４に確実に沿わせることができて工具２を確実に収納できる点で望ましい。
【００２９】
なお、工具２の取り出しの容易さの点で、工具２の収納部３において、工具２を収納した際に隙間９が存在することが望ましく、この隙間に指や爪を入れることによって容易に取出しが可能となる。
【００３０】
さらに、ケース基体４が、ケース本体１２とスライド式の蓋１３とを組み合わせた箱体からなるとともに、該箱体の底面に収納ケース1，１同士を積層する時に係止めとなる突起１４を備えているタイプに対しても好適に適応可能である。
【００３１】
また、工具２が中央にねじ孔１５を有する形状である場合、図４に示すようにケース本体１２または下敷き６と一体化されたピン１６を設けて工具２のねじ孔１５にピン１６が貫通するように収納することも可能である。この方法によれば工具２がより動きにくくなり工具２の切刃の保護効果と雑音防止効果がさらに高まる。しかしながら、工具２を収納ケース１から取り出す際の作業性の観点からは、ピン１６を設けない方が、工具２の外周面と変形可能な緩衝材８の内壁面との間隔をより広く確保できるため工具２が容易に取り出せるので望ましい。また工具２を収納ケース１に収納する際の作業性の観点からも、ピン１６を設けない方が、ピン１６を気にせず容易に収納できるので望ましい。
【００３２】
上記構成のチップ収納ケースは、図２に示すようにケース本体１２内に緩衝部材７を挿入し、次に緩衝部材７の各収納部３に工具２を１つずつ載置する。そして、蓋１３をスライドさせながら装着することにより収納部３を封じる（図示せず）。さらに、所望により、ケース本体１２と蓋１３との双方にかかるようにラベルを貼ることによって完成する。
【００３３】
なお、図１、２では工具２として主面が多角形状をなす板状の、いわゆるスローアウェイチップについて例示したが、本発明はこれに限定されるものではなく、ドリルやエンドミル、ボーリングバー等の棒状部を有する工具や、略直方体形状の溝入れ工具等に対しても好適に適応可能である。
【図面の簡単な説明】
【００３４】
【図１】本発明の一実施例を示すスローアウェイ工具用収納ケースの（ａ）概略分解平面図、（ｂ）（ａ）のＡ−Ａ断面図である。
【図２】図１のスローアウェイ工具用収納ケースにスローアウェイ工具を収納した状態を示す概略平面図である。
【図３】図２のＢ−Ｂ断面図である。
【図４】本発明のスローアウェイ工具用収納ケースのその他の実施例についての概略断面図である。
【図５】従来のスローアウェイ工具用収納ケースにスローアウェイ工具を収納した状態を示す概略平面図である。
【符号の説明】
【００３５】
１    スローアウェイ工具用収納ケース（収納ケース）
２    スローアウェイ工具（工具）
３    収納部
４    ケース基体
５    収納凹部
７    緩衝部材
８    中枠
９    隔壁部
１０  隅部
１１  切欠き
１２  ケース本体
１３  蓋
１３ｓ  スライド式の蓋
１４  突起
１５  ねじ孔
１６  ピン
【図１】
2006036301.tif 000003
【図２】
2006036301.tif 000004
【図３】
2006036301.tif 000005
【図４】
2006036301.tif 000006
【図５】
2006036301.tif 000007